【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
コンピュータシステムにより実装される方法であって、
コンピュータシステムが、物理的なミーティング場所に近接する第１のデバイスの物理的な存在を認識するステップと、
前記コンピュータシステムが、前記第１のデバイスから識別情報の第１のセットを取り出すステップと、
前記コンピュータシステムが、前記識別情報の第１のセットが前記ミーティング場所における現在のミーティングの招待者リスト内の第１のプロファイルの識別情報と相関するかどうかを判断するステップと、
前記識別情報の第１のセットが前記ミーティング場所における前記ミーティングの前記招待者リスト内の前記第１のプロファイルの識別情報と相関すると判断したことに応答して、前記第１のプロファイルを前記ミーティングの参加者として含めるステップと、  前記コンピュータシステムが、前記物理的なミーティング場所に近接する第２のデバイスの物理的な存在を認識するステップと、
前記コンピュータシステムが、前記第２のデバイスから識別情報の第２のセットを取り出すステップと、
前記コンピュータシステムが、前記識別情報の第２のセットが前記ミーティング場所における前記現在のミーティングの前記招待者リスト内のプロファイルの識別情報と相関しないと決定するステップと、
前記識別情報の第２のセットが前記招待者リスト内のプロファイルの識別情報と相関しないと決定したことに応答して、前記識別情報の第２のセットに対応する第２のプロファイルを前記ミーティングのプロファイルとして含めることを承認するユーザ入力を受信するよう構成されるプロンプトを表示するステップであって、前記プロンプトは選択的に、前記識別情報の第２のセットに対応する第２のプロファイルを前記ミーティングのプロファイルとして含めることを拒否するユーザ入力を受信するようにも構成される、ステップと
を含む、方法。
【請求項２】
前記第１のプロファイルを前記ミーティングの参加者として含めるステップは、前記第１のプロファイルを前記ミーティングのミーティング参加者のリスト内に含めるステップを備える、請求項１に記載の方法。
【請求項３】
前記ミーティングの参加者として含まれない１つ又は複数のユーザプロファイルに通知を送信するステップを更に含み、前記通知は、前記第１のプロファイルが前記ミーティングの参加者として含まれることを示し、前記第１のプロファイルが前記ミーティングの参加者として含まれることを示す通知を送信するステップは、前記ミーティングの終了時間の前に行われる、請求項１に記載の方法。
【請求項４】
前記ミーティングが始まった後に、前記招待者リスト上にはあるが前記ミーティングの参加者として含まれていない１つ又は複数のプロファイルを識別するステップを更に含む、請求項１に記載の方法。
【請求項５】
前記ミーティングについての１つ又は複数の通知を、前記招待者リスト上にはあるが前記ミーティングの参加者として含まれていない前記１つ又は複数のプロファイルに送信するステップを更に含み、当該ミーティングについての１つ又は複数の通知を送信するステップは、前記ミーティングが進行している間に行われる、請求項４に記載の方法。
【請求項６】
前記ミーティング場所の１つ又は複数の設定を前記プロファイルについてパーソナライズするステップを更に含む、請求項１に記載の方法。
【請求項７】
コンピュータシステムであって、
少なくとも１つのプロセッサと、
少なくとも１つのプロセッサによって実行されると、該少なくとも１つのプロセッサに、
物理的なミーティング場所に近接する複数のモバイルデバイスの物理的な存在を認識するステップと、
前記モバイルデバイスの各々から識別情報の単位を取り出すステップと、
前記識別情報の各単位が、前記ミーティング場所における現在のミーティングの招待者リスト内のプロファイルの識別情報と相関するかどうかを判断するステップと、
前記ミーティングの前記招待者リスト内のプロファイルの識別情報と相関する識別情報の単位ごとに、前記プロファイルを前記ミーティングの参加者リストに含めるステップと、
前記ミーティングの前記招待者リスト内のプロファイルの識別情報と相関しない識別情報の単位ごとに、対応する省略されたプロファイルを、前記ミーティングのプロファイルとして含めることを承認するユーザ入力を受信するよう構成されるプロンプトを表示するステップであって、前記プロンプトは選択的に、前記対応する省略されたプロファイルを前記ミーティングのプロファイルとして含めることを拒否するユーザ入力を受信するようにも構成される、ステップと、
を含む動作を実行させる命令を備えたメモリと
を備える、コンピュータシステム。
【請求項８】
前記動作は、前記ミーティングの前記参加者リストに含まれる前記プロファイルのうちのあるプロファイルについて、前記ミーティングへの参加についての通知を送信するステップを更に備え、当該参加についての通知を送信するステップは、前記ミーティングの前記参加者リスト内に含まれるプロファイル以外の１又は複数のユーザプロファイルに、前記参加についての通知を送信することを含む、請求項７に記載のコンピュータシステム。
【請求項９】
少なくとも１つのプロセッサによって実行されると、少なくとも１つのプロセッサに方法を実行させるコンピュータプログラムであって、前記方法は、
物理的なミーティング場所に近接する複数のモバイルデバイスの物理的な存在を認識するステップと、
前記モバイルデバイスの各々から識別情報の単位を取り出すステップと、
前記識別情報の各単位が、前記ミーティング場所における現在のミーティングの招待者リスト内のプロファイルの識別情報と相関するかどうかを判断するステップと、
前記ミーティングの前記招待者リスト内のプロファイルの識別情報と相関する識別情報の単位ごとに、前記プロファイルを、前記ミーティングの参加者リスト内に含めるステップと、
前記ミーティングの前記招待者リスト内のプロファイルの識別情報と相関しない識別情報の単位ごとに、対応する省略されたプロファイルを、前記ミーティングのプロファイルとして含めることを承認するユーザ入力を受信するよう構成されるプロンプトを表示するステップであって、前記プロンプトは選択的に、前記対応する省略済されたプロファイルを前記記ミーティングのプロファイルとして含めることを拒否するユーザ入力を受信するようにも構成される、ステップと、
を含む、コンピュータプログラム。
【請求項１０】
前記方法は、
前記参加者リストをコンピュータディスプレイ上に表示するステップと、
前記参加者リストを使用して追加の動作を実行するステップと、
を更に含み、前記追加の動作は、前記参加者リストに含まれない前記招待者リスト内のプロファイルを識別し、前記ミーティングが進行している間に、該プロファイルにミーティング通知を送信することと、前記ミーティングの前記参加者リストに含まれるプロファイルの１つ又は複数について、前記ミーティングへの参加についての１つ又は通知を送信することとからなるグループから選択される動作であり、前記参加についての１つ又は複数の通知は、前記ミーティングの前記参加者リストに含まれない１つ又は複数の他のユーザプロファイルに送信される、
請求項９に記載のコンピュータプログラム。
【手続補正２】
【補正対象書類名】明細書
【補正対象項目名】００２３
【補正方法】変更
【補正の内容】
【００２３】
ミーティングコンピュータシステム（２２０）は、招待者リスト（２７０）を管理することができる。招待者リスト（２７０）は、現在のミーティングに招待されているプロファイルを識別することができる、様々な異なるタイプのデータ構造の１つとすることができる。ミーティングコンピュータシステム（２２０）は、参加者リスト（２７２）も管理することができ、参加者リスト（２７２）は、現在のミーティングに参加しているとして識別されるプロファイルを識別することができる、様々な異なるタイプのデータ構造の１つとすることができる。例えばミーティングコンピュータシステム（２２０）は、センサ（２３０、２３２及び／又は２３４）から受信した識別情報単位が、招待者リスト（２７０）にリストされたプロファイル（２８０）に対応するかどうかを判断することができる。センサから受信した識別情報単位が、招待者リスト（２７０）にリストされたプロファイル（２８０）に対応する場合、ミーティングコンピュータシステム（２２０）は、これらのプロファイル（２８０）の識別を参加者リスト（２７２）に自動的に追加することができ、これは、プロファイル（２８０）を参加者リスト（２７２）に追加することとも見なされる。対応するプロファイル（２８０）が招待者リスト（２７０）上に示されていない場合、ミーティングコンピュータシステム（２２０）は、そのプロファイルの識別を参加者リスト（２７２）内へ含めることを承認又は拒否するようにユーザ入力を促すこと、そのプロファイルの識別を参加者リスト（２７２）に自動的に含めること、あるいはそのプロファイルの識別を参加者リストに含めることを自動的に拒否することによるなど、様々な方法の１つ又は複数で応答するように構成され得る。
【手続補正３】
【補正対象書類名】明細書
【補正対象項目名】００３３
【補正方法】変更
【補正の内容】
【００３３】
３．  識別情報の追加の利用
参加者のモバイルデバイス（２５０）が、ミーティング場所（２１０）に近接していると認識され、参加者のプロファイル（２８０）が識別されると、識別情報は１つ又は複数の方法で使用され得る。例えばミーティング場所（２１０）は、プロファイル（２８０）に関連付けられたプリファレンス及び／又はミーティングの性質に基づくミーティング場所（２１０）を自動的に構成することができる。例えばこれは、ユーザプロファイル（２８０）がミーティングの主催者又はミーティングのプレゼンターであることを指示する場合、あるいはユーザプロファイルがミーティング場所（２１０）のアドホックミーティングを開始するものとして指示される場合に行われることがある。例えばミーティングがビデオ会議として構成されている場合、部屋の前のコンピュータディスプレイ（２４０）はビデオを表示するように構成され得る。ユーザがある特定のカメラの視点を好む場合、適切なカメラをデフォルトとして選択することができる。ミーティングコンピュータシステム（２２０）は、メタデータ及び適切な設定を決定するように以前に構成されたプロビジョニング情報を使用することができる。
【手続補正４】
【補正対象書類名】明細書
【補正対象項目名】００３８
【補正方法】変更
【補正の内容】
【００３８】
本方法は、プロファイルの識別をミーティング参加者として使用する１つ又は複数の他の動作を実行することを含むこともある。例えば本方法は、ミーティング参加者のリストを、会議に関与する１つ又は複数のコンピュータディスプレイのような、ローカル及び／又はリモートのコンピュータディスプレイ上に表示することを含んでもよい。別の例として、本方法は、プロファイルが、ミーティングの参加者として含まれることを示す通知を送信することを含んでもよく、この通知は、ミーティングの位置のようなミーティングに関する情報を指示することができる。更に別の例として、本技術は、ミーティングが始まった後に、招待者リスト上にはあるが、ミーティングの参加者として含まれていない１つ又は複数のプロファイルを識別することを含んでもよい。本技術は、ミーティングについての１つ又は複数の通知を、招待者リスト上にはあるがミーティングの参加者として含まれていない１つ又は複数のプロファイルへ送信することを含んでもよい。更に別の例として、本方法は、ミーティング場所における１つ又は複数の設定をプロファイルに対して自動的にパーソナライズすることを更に含んでもよい。